(57)【要約】【課題】携帯用ケースに入った袋で、ビーチサンダルとビーチサンダルを履いている人の足を共に包むことで、水で足やビーチサンダルを洗った後で海や川等の水辺外への移動する時に、再び足やビーチサンダルに砂等が付着することを防止する。【解決手段】ビーチサンダルとそれを履いている人の足を包む袋を、その袋を小さくして収納するための収納ケースに結合させた形態であり、その袋を収納した収納ケースをビーチサンダルに装着できるようにした。及び、その袋を収納した収納ケースを装着したビーチサンダル。【選択図】図１
2009261872.tif 000002
【特許請求の範囲】
【請求項１】
ビーチサンダル（０）と共に前記ビーチサンダル（０）を履いている人の足の踝より下の足先部分（１）を包む袋（２）と結合したことを特徴とする、前記袋（２）の収納ケース（３）。
【請求項２】
請求項１に記載の前記袋（２）の収納ケース（３）において、ビーチサンダル（０）に装着する部分（４）を備えたことを特徴とする、前記袋（２）の収納ケース（３）。
【請求項３】
請求項１または請求項２に記載の前記袋（２）の収納ケース（３）において、ビーチサンダル（０）に装着することを特徴とする、前記袋（２）の収納ケース（３）。
【請求項４】
請求項１または請求項２に記載の前記袋（２）の収納ケース（３）において、ビーチサンダ（０）の鼻緒（５）の後方に装着することを特徴とする、前記袋（２）の収納ケース（３）。
【請求項５】
請求項１または請求項２に記載の前記袋（２）の収納ケース（３）が、踵つきビーチサンダル（６）の踵ベルト（７）の部分に装着されていることを特徴とする、袋（２）の収納ケース（３）付きの踵ベルト（７が装着したビーチサンダル（８）。
【発明の詳細な説明】
【発明の詳細な説明】
【技術分野】
【０００１】本発明は、ビーチサンダルと共にビーチサンダルを履いている人の足の踝より下の足先部分を包む袋のケースに関するもの、及び、その袋を収納した上でビーチサンダルに装着する袋ケースに関するもの、及び、その袋を入れた袋ケースを装着したビーチサンダルに関するものである。
【背景技術】
【０００２】特許文献１には、ビーチサンダルの材質と構造により、ビーチサンダルに砂等が足に付着しないように設計されたビーチサンダルが開示されている。しかし、このビーチサンダルでは、あくまでビーチサンダル自体のみに砂が付着しにくい効果があるだけであり、ビーチサンダルを履いた人の足への砂等の付着を防止する効果はない。【０００３】
【特許文献１】特開２００５−３１２９０６号公報
【発明の開示】
【発明が解決しようとする課題】
【０００４】海や川等の水で足を洗うことによって足に付着していた砂等を洗い落とした後に、その洗った場所である海や川等の水辺から帰る時に砂等が有る場所を経由すると、再び足に砂等が付着てしまうという問題があった。【０００５】それによって、海岸や川などの水辺に行った場合、特に砂浜を経由して海や川などの水に入った時は、海水や水に濡れた足に砂浜の砂などが付着して極めて不快である。また、その海や川などの水辺から砂浜を経由してきた時には、その後に自分の足に付着した砂等で、自分のまわりを汚すことになってしまう。そのような不快感や周りを汚すことを防止するために、多くの人は海岸や川などの水辺や砂浜から離れる時は、その前に海や川等の水で足や履物に付いた砂等を洗い流すようにする。しかし、その洗い流した後で足を洗った海や川等から離れる時には、再び砂等がある砂浜等を経由して行くこととなり、その場合、履物には仕方ないとしても、少なくとも自分の足だけには再び砂等が付着しないように気を付けて歩かなければならないという問題が生じていた。【０００６】そして、実際には、その場合において再び足に砂を付けずに砂のない場所まで歩ききることは極めて難しい。特に海辺等の履物であるビーチサンダルを履いている場合は、ビーチサンダルはあくまでサンダルの形状であるので、足の横側からの砂等の付着に対してはノーガードであり、砂浜は歩くと足が砂にめり込むので必然的に足の甲の横の部分は直接砂に触れてしまい、せっかく洗ってきた足に再び砂等が付着することとなり、洗ったことは無意味となってしまうという問題も生じていた。【０００７】そこで、当発明では、海岸や川などの水辺や砂浜から離れる時に、海や川等の水で足やビーチサンダルに付いた砂等を洗い流した後に、再び人の足に直接、及びビーチサンダルを経由して人の足に砂等が付着しなくするために、袋でビーチサンダルと共にビーチサンダルを履いた人の足の踝より下の足先部分を包むようにした。そして、その袋を携帯しやすいようにすることと、足やビーチサンダルを水の中で洗った時に水の中で袋を開き包みやすいようにするためと、水の中で足やビーチサンダルを洗う時に袋や収納ケースが流れていかないために、袋とその袋の収納ケースとビーチサンダルを結合させるようにした。
【課題を解決するための手段】
【０００８】請求項１に係る発明は、ビーチサンダル（０）と共に前記ビーチサンダル（０）を履いている人の足の踝より下の足先部分（１）を包む袋（２）と結合したことを特徴とする、前記袋（２）の収納ケース（３）である。【０００９】請求項１に係る発明によれば、海や川等の水辺で足やビーチサンダルに砂等が付いた時に、海や川の水でビーチサンダル（０）や足を洗ってビーチサンダル（０）やそれを履いた足の踝より下の足先部分（１）に付いた砂等を洗い落とした後に収納ケース（３）に収納されている袋（２）を取り出し、その袋（２）でビーチサンダル（０）やそれを履いた人の足の踝より下の部分（１）を包むことにより、ビーチサンダル（０）やそれを履いた人の足に砂等が付着しない場所に移動するまでの間に、再びビーチサンダル（０）やそれを履いている人人間の足の踝より下の足先部分（１）に、砂等が付着しなくなる。【００１０】請求項２に係る発明は、請求項１に記載の前記袋（２）の収納ケース（３）において、ビーチサンダル（０）に装着する部分（４）を備えたことを特徴とする、前記袋（２）の収納ケース（３）である。【００１１】請求項２に係る発明によれば、前記袋（２）の収納ケース（３）を、海や川の水辺用のサンダルであるビーチサンダル（０）に、装着する部分（４）により装着できるようになる。【００１２】請求項３に係る発明は、請求項１または請求項２に記載の前記袋（２）の収納ケース（３）において、ビーチサンダル（０）に装着することを特徴とする、前記袋（２）の収納ケース（３）である。【００１３】請求項３に係る発明によれば、海や川等の水辺用のサンダルであるビーチサンダル（０）を海や川等の水辺や砂浜で利用する場合に、ビーチサンダル（０）を履いたままそれを履いている人の足の踝より下の足先部分（１）を、海水や水の中でビーチサンダル（０）を履いたまま足をゆするなどをして洗う等してビーチサンダルや足に付着した砂等を落とした後に、ビーチサンダル（０）に装着されている収納ケース（３）から袋（２）を取り出して、その袋（２）でビーチサンダル（０）やそれを履いている人の足の踝より下の足先部分（１）を包むことにより、その後にビーチサンダル（０）やそれを履いている人の足の踝より下の足先部分（１）への砂等の付着を防止することができる。そして、その包む時には、その袋（２）を収納ケース（３）から取り出して、一気にビーチサンダル（０）やそれを履いている人の足の踝より下の足先部分（１）を包むことが出来る。また、ビーチサンダル（０）に袋（２）を入れる収納ケース（３）が装着さることで、ビーチサンダル（０）を履いたままで履いている足の踝より下の足先部分（１）を海水や水の中で足をゆするなどをして洗いビーチサンダルやそれを履いている足に付着した砂等を落とす時に、袋（２）や収納ケース（３）が水に流されてしまうことを防止できることになる。【００１４】請求項４に係る発明は、請求項１または請求項２に記載の前記袋（２）の収納ケース（３）において、ビーチサンダ（０）の鼻緒（５）の後方に装着することを特徴とする、前記袋（２）の収納ケース（３）である。【００１５】請求項４に係る発明によれば、袋（２）の収納ケース（３）を鼻緒（５）の後方に取り付けることにより、収納ケース（３）自体が、ビーチサンダル（０）の踵ベルトになる。【００１６】請求項５に係る発明は、請求項１または請求項２に記載の前記袋（２）の収納ケース（３）が、踵つきビーチサンダル（６）の踵ベルト（７）の部分に装着されていることを特徴とする、袋（２）の収納ケース（３）付きの踵ベルト（７）が装着したビーチサンダル（８）である。【００１７】請求項５に係る発明によれば、袋（２）の入った収納ケース（３）が、踵つきサンダル（６）の踵ベルト（７）部分に直接装着されることにより、収納ケース（３）をビーチサンダル（０）に装着するための部分（４）が不要となる。
【発明の効果】
【００１８】請求項１に係る発明によれば、海や川等の海水や水でビーチサンダルや足を洗って、ビーチサンダル（０）やビーチサンダル（０）を履いた人の足の踝より下の足先部分（１）に付いた砂等を洗い落とした後に、水の中等で、再び砂などが付着する前に袋（２）でビーチサンダル（０）やビーチサンダル（０）を履いた人の足の踝より下の部分（１）を包む事で、ビーチサンダル（０）やそれを履いた人の足の踝より下の部分（１）に砂等が付着しない場所に移動するまでの間に、再びビーチサンダル（０）やビーチサンダル（０）を履いた人の足の踝より下の部分（１）への砂等の再付着の防止が出来る。特に海水や水で濡れたビーチサンダル（０）やそれを履いた人の足の踝より下の部分（１）は、濡れていない時に比べて砂等が付着しやすくなり、そのような状況下でビーチサンダル（０）やそれを履いた人の足の踝より下の部分（１）に付着した砂等は、海辺や川原等にいる場合はよくても、その海辺や川原等から離れた場合には、その海辺や川原等で付着した砂等で新たに移動した場所を汚してしまうこととなる。そこで、洗った後で水の中など再び砂などが付着する前に、袋（１）でビーチサンダル（０）やそれを履いた人の足の踝より下の部分（１）を包むことによって、ビーチサンダル（０）やそれを履いた人の足の踝より下の足先部分（１０）に砂等が再び付着することの防止が出来る。そして、袋（２）を使用していない時は、収納ケース（３）に袋（２）を小さく折りたたんで収納しておくことが出来る。【００１９】また、袋（２）でビーチサンダル（０）を履いた人の足と共に包む事で、海や川等から移動する場合に砂等の再付着の防止ができると共に、素足のみを袋で包んだ場合と比較して地面に落ちている危険物等を踏んで怪我をする事の防止ができる。【００２０】請求項２に係る発明によれば、請求項１と同様の効果と共に、袋（２）を入れた収納ケース（３）をビーチサンダル（０）に、使用予定時は装着、又、使用予定のない時には取り外しておくことが出来る。【００２１】請求項３に係る発明によれば、請求項１と同様の効果と共に、袋（２）入りの収納ケース（３）がビーチサンダル（０）に装着できるので、袋（２）を手で持っていく等の手間はなくなるし、及び、ビーチサンダル（０）を履いた時に、この袋（２）入りに収納ケース（３）持っていくことを忘れることもなくなる。また、袋（２）入りの収納ケース（３）がビーチサンダル（４）に装着できるので、ビーチサンダル（０）を履いた人の足の踝より下の足先部分（１）やビーチサンダル（０）を海や川などの水で洗っている時等に、袋（２）と収納ケース（３）が海水や水に流されていってしまうことを防止できる。【００２２】請求項４に係る発明によれば、請求項１および請求項３と同様の効果と共に、袋（２）の収納ケース（３）をビーチサンダル（０）の鼻緒（５）の後方に装着することで、袋（２）の入った収納ケース（３）自体を、ビーチサンダル（０）の踵ベルトにすることが出来る。
これによって、ビーチサンダルが踵ベルトのある履物となり歩きやすくなる。また、交通法規上では踵のない履物での自動車の運転は違法であるが、袋（２）の入った収納ケース（３）自体をビーチサンダル（０）の踵ベルト部分になるように装着することで、踵のないビーチサンダルが踵ベルトによって踵のある履物となり、交通法規上においてはこれを履いての運転が適法となる。【００２３】請求項５に係る発明によれば、請求項１および請求項３と同様の効果と共に、踵つきビーチサンダル（６）の踵ベルト（７）の部分に直接的に袋（２）の入った収納ケース（３）を取り付けられるので、袋（２）の入った収納ケース（３）の取り付けに必要な、装着する部分（４）が不要となる。
【発明を実施するための最良の形態】
【００２４】次に、本発明の１つの実施例について適宜図面を参照して説明する。図１は本発明の１つの実施例に係る、袋（２）で、ビーチサンダル（０）とビーチサンダル（０）を履いた人の足の踝より下の足先部分（１）を共に包んだ図である。この袋（２）の素材は、ビーチサンダル（０）や人の足の踝より下の足先部分（１）のそれぞれの大きさに融通が利くようにする為と、包む時に袋（２）を大きくして履きやすくする為と、収納時に小さくする為を考慮して、収縮性のある素材にすると良い。又は薄い素材とすると良い。そして、袋（２）の口部分（２１）には、この袋でビーチサンダル（０）やビーチサンダル（０）を履いた人の足の踝より下の足先部分（１）を包んだ時に、袋（２）の口部分（２１）から、砂等が入ってこないように、袋（２）の口部分（２１）を閉める目的で、袋（２）の口部分（２１）にはゴム等のより収縮性の強いものを付けておくと良い。また、ビーチサンダル（０）を脱いだ状態の素足を、前記袋（２）で包んで利用しても良い。【００２５】そして、袋（２）の素材を、海水や水のみを通した上で砂等の足へ付着して欲しくない物を通さない素材にすれば、海や川や砂浜等に入る前の段階で、図１のようにビーチサンダル（０）とビーチサンダル（０）を履いた人の足の踝より下の足先部分（１）を共に包むようにすると、又は、ビーチサンダル（０）等の履物を脱いだ状態の素足を包むようにすると、袋で足やビーチサンダル（０）を包んだ時から袋をはずすまでの間は、足やビーチサンダル（０）に砂等が付着することなく、ビーチサンダル（０）を履いた足や、履物をはかない素足を、海や川等の海水や水に入れることが出来るようになる。【００２６】図２は本発明の１つの実施例に係る、ビーチサンダル（０）とビーチサンダル（０）を履いた人の足の踝より下の足先部分（１）を包む袋（２）とその袋（２）の収納ケース（３）を結合した図である。それらを結合する理由は、収納ケース（３）から袋（２）を取り出した時等に、それらが別々になってしまい片方がなくならないようにする為である。特に袋（２）でビーチサンダル（０）やビーチサンダル（０）を履いた人の足の踝より下の足先部分（１）を包む事を行う場所が、海や川等の水の有る場所である場合が多いので、袋（２）を取り出した後に収納ケース（３）が水に流されてしまわないためにも重要である。【００２７】図３は本発明の１つの実施例に係る、ビーチサンダル（０）と共にビーチサンダル（０）をはいた人の足の踝より下の足先部分（１）を包む袋（２）を、収納ケース（３）に収納した時の状況を表した図である。袋（２）を使わない時は出来るだけ小さく収納ケース（３）に収納する、及び収納ケース（３）自体を小さくするために、袋（２）と収納ケース（３）は共に薄い素材が良い。ただし、袋（２）と収納ケース（３）は同じ素材にする必要はない。また、前記のように袋（２）は、収縮性のある素材にすると良いが、収納ケース（３）は特にその必要性はない。【００２８】図４は本発明の１つの実施例に係る、ビーチサンダル（０）と共にビーチサンダル（０）を履いた人の足の踝より下の足先部分（１）を包む袋（２）の入った収納ケース（３）に、ビーチサンダル（０）に装着する部分（４）を取り付けた図である。装着する部分（４）は収納ケース（３）と結合している。そして、装着する部分（４）にはビーチサンダル（０）と結合するための器具が付けられている。その器具とは、マジックテープや、ボタンや、金具や、紐状になっていてで結ぶことの出来るものである。
また、この装着する部分（４）とそれらの器具とを活用すれば、この袋（２）の入った収納ケース（３）をビーチサンダル（０）に装着するだけでなく、衣服や手足等に装着して持ち歩くことも出来る。【００２９】図５は本発明の１つの実施例に係る、前記の袋（２）の入った収納ケース（３）を、ビーチサンダ（０）の鼻緒（５）の後方に装着した状況を表した図である。前記の袋（２）の入った収納ケース（３）が、ビーチサンダ（０）の鼻緒（５）の後方部分に収納ケース（３）の装着する部分（４）と装着する部分（４）の器具で装着され結合している。このように前記の袋（２）の入った収納ケース（３）をビーチサンダ（０）の鼻緒（５）の後方に装着することによって、袋（２）の入った収納ケース（３）自体がサンダルの踵ベルトになることとなる。これにより踵のないビーチサンダルが、踵ベルトのある履物に出来る。そして、そのように袋（２）の入った収納ケース（３）自体がサンダルの踵ベルトの役目をするために、袋（２）と収納ケース（３）と装着する部分（４）は、人間の足に圧力が掛かった状態で触れたり、すれたりした場合に、痛くないようにするために、やわらかい素材にする事が良い。【００３０】図６は本発明の１つの実施例に係る、前記袋（２）の収納ケース（３）を、踵つきビーチサンダル（６）の踵ベルト（７）の部分に装着することを特徴とした、踵つきビーチサンダル（８）を表した図である。前記袋（２）の収納ケース（３）は、踵つきビーチサンダル（６）の踵ベルト（７）の部分に直接装着されており、その装着方法は、接着材で接着したり、糸で縫いつけたりして半永久的に結合させても良いし、また、マジックテープやボタンや金具などで、袋（２）の収納ケース（３）を利用する予定の時にのみ、取り付けられるようにしておいても良い。
【産業上の利用可能性】
【００３１】本発明は、海や川等の水辺で利用する、足の砂等の付着防止機能の道具、又は、ビーチサンダルに装着する足の砂等の付着防止機能の道具、又は、足の砂等の付着防止機能付きのビーチサンダルとして、利用することが可能である。
【図面の簡単な説明】
【００３２】
【図１】図１は本発明の１つの実施例に係る、袋でビーチサンダルとビーチサンダルを履いた人の足の踝より下の足先部分を包んだ図である。
【図２】図２は本発明の１つの実施例に係る、ビーチサンダルとビーチサンダルを履いた人の足の踝より下の足先部分を包む袋とその袋の収納ケースを結合した図である。
【図３】図３は本発明の１つの実施例に係る、ビーチサンダルと共にビーチサンダルをはいた人の足の踝より下の足先部分を包む袋を収納ケースに収納した時の状態を表した図である。
【図４】図４は本発明の１つの実施例に係る、ビーチサンダルと共にビーチサンダルを履いた人の足の踝より下の足先部分を包む袋の入った収納ケースに、収納ケースをビーチサンダルに装着する部分を取り付けた図である。
【図５】図５は本発明の１つの実施例に係る、ビーチサンダルと共にビーチサンダルを履いた人の足の踝より下の足先部分を包む袋の入った収納ケースを、ビーチサンダの鼻緒の後方に装着した状態を表した図である。
【図６】図６は本発明の１つの実施例に係る、ビーチサンダルと共にビーチサンダルを履いた人の足の踝より下の足先部分を包む袋の収納ケースを、踵つきビーチサンダルの踵ベルトの部分に装着した踵つきビーチサンダルを表した図である。
【符号の説明】
【００３３】  ０  ビーチサンダル
１  ビーチサンダルを履いた人の足の踝より下の足先部分
２  袋
３  袋（２）の収納ケース
４  ビーチサンダルに収納ケース（３）を装着する部分
５  鼻緒
６  踵つきビーチサンダル
７  踵ベルト
８  袋（２）の収納ケース（３）が踵ベルト（７）に装着した踵つきビーチサンダル
２１  袋（２）の口部分
【図１】
2009261872.tif 000003
【図２】
2009261872.tif 000004
【図３】
2009261872.tif 000005
【図４】
2009261872.tif 000006
【図５】
2009261872.tif 000007
【図６】
2009261872.tif 000008